(57)【要約】【課題】本発明は、防災コンクリート構築物が容易に造れる木の板で木の板セパを挟み圧着して成る成型部材を提供する。【解決手段】複数のダボ穴1を設けた２枚の間柱状の壁板材2のダボ穴1へ、両側面にダボ木5を埋設した板セパ6の接続面に接着剤8を塗布して、挿入圧着して成る板壁を構成する成型部材10を、接続ビス9で連結固定して間隙を有する板壁躯体15を成し、複数のダボ穴1を設けた２枚の間柱状の床板材3のダボ穴1へ、両側面にダボ木5を埋設した板セパ6と短冊状の板セパ7の接続面に接着剤8を塗布して、挿入圧着して成る床盤を構成する成型部材11と床盤を構成する床盤接続板12を、連結固定して成る間隙を有する床盤躯体17を組み合わせて成る箱型構築物19の躯体内へ、コンクリート23を打設して、該コンクリート23の凝固によって、コンクリート箱型構築物20を形成する木の板で木の板セパを挟み圧着して成る成型部材。【選択図】  図1
2020026659.tif 000002
【特許請求の範囲】
【請求項１】
複数のダボ穴1を設けた２枚の間柱状の壁板材2を並置して、間柱状の壁板材2の板巾面に設けたダボ穴1へ、両側面にダボ木5を設けた複数の板セパ6の接続面に接着剤8を塗布して、挿入圧着して成る板壁を構成する成型部材10、該板壁を構成する成型部材10の板厚面に設けたダボ穴1にダボ木5を介して重ね置きして、複数の接続ビス9で連結固定して成る間隙を有する板壁躯体15、該間隙を有する板壁躯体15が構築できることを特徴とする木の板で木の板セパを挟み圧着して成る成型部材。
【請求項２】
前記、複数のダボ穴1を設けた２枚の間柱状の床板材3を並置して、間柱状の床板材3の板巾面に設けたダボ穴1へ、両側面にダボ木5を設けた複数の板セパ6と短冊状の板セパ7の接続面に接着剤8を塗布して、挿入圧着して成る床盤を構成する成型部材11、該床盤を構成する成型部材11と板厚面に複数のダボ穴1を設けた床盤を構成する床盤接続板12を、ダボ木5を介して連結固定して成る間隙を有する床盤躯体17、該間隙を有する床盤躯体17が構築できることを特徴とする請求項１に記載の木の板で木の板セパを挟み圧着して成る成型部材。
【請求項３】
前記、請求項１記載の間隙を有する板壁躯体15と請求項2記載の間隙を有する床盤躯体17を組み合わせて成る箱型構築物19、該箱型構築物19が構築できることを特徴とする請求項１叉は2に記載の木の板で木の板セパを挟み圧着して成る成型部材。
【請求項４】
前記、請求項１記載の間隙を有する板壁躯体15と請求項2記載の間隙を有する床盤躯体17を組み合わせて成る請求項3記載の箱型構築物19、該箱型構築物19の躯体内に、コンクリート23を注入して成るコンクリート箱型構築物20、該コンクリート箱型構築物20が構築できることを特徴とする請求項１〜3に記載の木の板で木の板セパを挟み圧着して成る成型部材。
【請求項５】
前記、請求項１記載の間隙を有する板壁躯体15の躯体内に、コンクリート23を注入して成るコンクリート板塀14、該コンクリート板塀14が構築できることを特徴とする請求項１〜4に記載の木の板で木の板セパを挟み圧着して成る成型部材。
【発明の詳細な説明】
【技術分野】
【０００１】
本発明は、間柱状の板材で構築物を形成する木の板で木の板セパを挟み圧着して成る成型部材に関する。
【背景技術】
【０００２】
従来、住宅などの構築物は、在来工法の木造住宅やツーバイフォー工法の木造住宅、さらに、プレハブ工法の鉄骨住宅が構築されている。他方、小規模構築物は鋼板製プレハブが普及している。また、古民家などの塀には瓦葺きの木の塀や土塀が構築され、古い住宅には貴重品を収納する土蔵造りなどの蔵が構築されていた。
【０００３】
在来工法の木造住宅やツーバイフォー工法の木造住宅や鉄骨プレハブ工法の住宅等の住宅は、セメント系外装板で覆われたものが大半で断熱処理に苦慮している。これ等、住宅業界が建設している工法の住宅は、津波や火災災害に対応できないのが現状である。
【０００４】
さらに、フェンスの塀を除いて、コンクリート製ブロックの組積塀や瓦葺きの木の塀は、地震などの災害に弱く被災時の避難道路への倒壊が危惧されている。
【０００５】
また、ミニハウスなどの小規模構築物は鋼板で構築されたものが多く、強風などで倒壊しているのが現状である。他方、鋼板で造られた構築物は断熱処理に苦慮しているのが現状である。
【０００６】
災害が多発する我国に於いて、これらの住宅や小規模構築物や組積塀は、自然災害に無防備であることは近年の災害が証明している。
【先行技術文献】
【特許文献】
【０００７】
【特許文献１】無し
【０００８】
【非特許文献１】無し
【発明の開示】
【発明が解決しようとする課題】
【０００９】
在来工法の構築物には次の問題があった。
１．在来工法の木造住宅やツーバイフォー工法の木造住宅や鉄骨プレハブ工法の住宅等、既存の住宅業界が建設している住宅は、免耐震には配慮されているが津波や水害や巨大台風等自然災害への防災対応ができていないのが現状である。
２．コンクリート製ブロックの組積塀は、荷重が重く高い塀を構築する場合には控壁を設ける必要があった。さらに、コンクリート製ブロックの組積塀は、ブロックの荷重が重く運搬コストが高くつく欠点と組積する手間賃が高くつく欠点があった。また、古民家などに設ける瓦葺きの木の塀についても同様である。
【００１０】
また、従来のミニハウスなどの構築物は鋼板で構築されたものが多く、強風などで倒壊する欠点があった。他方、火災や自然災害に弱く貴重品の保管庫として利用することができないなどの欠点があった。特に、鋼板のミニハウスは断熱処理に問題があった。
【００１１】
本発明は、上記の課題に鑑みて、構築物を形成する間柱状の各板材と各板セパで、形成した各成型部材を用いた箱型構築物内にコンクリートを注入して、強固な様々な構築物を形成する木の板で木の板セパを挟み圧着して成る成型部材を提供するものである。
【課題を解決するための手段】
【００１２】
この発明は、上記の課題を解決するためになされたもので、複数のダボ穴を設けた２枚の間柱状の壁板材を並置して、間柱状の壁板材の板巾面に設けたダボ穴へ、両側面にダボ木を設けた複数の板セパの接続面に接着剤を塗布して、挿入圧着して成る板壁を構成する成型部材、該板壁を構成する成型部材の板厚面に設けたダボ穴にダボ木を介して重ね置きして、複数の接続ビスで連結固定して成る間隙を有する板壁躯体、該間隙を有する板壁躯体が構築できることを特徴とする木の板で木の板セパを挟み圧着して成る成型部材（請求項１）を提供する。
【００１３】
前記、複数のダボ穴を設けた２枚の間柱状の床板材を並置して、間柱状の床板材の板巾面に設けたダボ穴へ、両側面にダボ木を設けた複数の板セパと短冊状の板セパの接続面に接着剤を塗布して、挿入圧着して成る床盤を構成する成型部材、該床盤を構成する成型部材と板厚面に複数のダボ穴を設けた床盤を構成する床盤接続板を、ダボ木を介して連結固定して成る間隙を有する床盤躯体、該間隙を有する床盤躯体が構築できることを特徴とする請求項１に記載の木の板で木の板セパを挟み圧着して成る成型部材（請求項２）を提供する。
【００１４】
前記、請求項１記載の間隙を有する板壁躯体と請求項2記載の間隙を有する床盤躯体を組み合わせて成る箱型構築物、該箱型構築物が構築できることを特徴とする請求項１叉は2に記載の木の板で木の板セパを挟み圧着して成る成型部材（請求項３）を提供する。
【００１５】
前記、請求項１記載の間隙を有する板壁躯体と請求項2記載の間隙を有する床盤躯体を組み合わせて成る請求項3記載の箱型構築物、該箱型構築物の躯体内に、コンクリートを注入して成るコンクリート箱型構築物、該コンクリート箱型構築物が構築できることを特徴とする請求項１〜3に記載の木の板で木の板セパを挟み圧着して成る成型部材（請求項4）を提供する。
【００１６】
前記、請求項１記載の間隙を有する板壁躯体の躯体内に、コンクリートを注入して成るコンクリート板塀、該コンクリート板塀が構築できることを特徴とする請求項１〜4に記載の木の板で木の板セパを挟み圧着して成る成型部材（請求項5）を提供する。
【発明の効果】
【００１７】
本発明の特筆すべき大きな効果を列挙する。
イ）板材と板セパを接着剤で圧着成型することで無垢の木の変形習性が防止できる。
ロ）板材と板セパを接着剤で圧着成型することでかべ内外の断熱壁が容易にできる。
ハ）木材とコンクリートを結合させることで災害に強い防災構築物が容易に造れる。
二）木材とコンクリートの結合で鉄筋を必要としない強固な構築物が容易に造れる。
ホ）木材が熱を吸収する地球温暖化防止の地球環境に優しい構築物が容易に造れる。
へ）全国市町村に眠る木材を大量消費することは疲弊する山村林業を活性化できる。
ト）伐採と植栽を繰り返すことで尽きることのない木材資源が有効に活用ができる。
【００１８】
以上で説明したように、請求項１に係る発明によれば、複数のダボ穴を設けた２枚の間柱状の壁板材を並置して、間柱状の壁板材の板巾面に設けたダボ穴へ、両側面にダボ木を設けた複数の板セパの接続面に接着剤を塗布して、挿入圧着して成る板壁を構成する成型部材、該板壁を構成する成型部材の板厚面に設けたダボ穴にダボ木を介して重ね置きして、複数の接続ビスで連結固定して成る間隙を有する板壁躯体、該間隙を有する板壁躯体が構築できることで、多種多様な地球環境に優しい板壁構築物が多能工でも迅速且つ安価で容易に構築できる大きな効果が得られる。
【００１９】
請求項２に係る発明によれば、前記、複数のダボ穴を設けた２枚の間柱状の床板材を並置して、間柱状の床板材の板巾面に設けたダボ穴へ、両側面にダボ木を設けた複数の板セパと短冊状の板セパの接続面に接着剤を塗布して、挿入圧着して成る床盤を構成する成型部材、該床盤を構成する成型部材と板厚面に複数のダボ穴を設けた床盤を構成する床盤接続板を、ダボ木を介して連結固定して成る間隙を有する床盤躯体、該間隙を有する床盤躯体が構築できることで、多種多様な構築物の強固な床盤が多能工でも迅速且つ安価で容易に構築できる大きな効果が得られる。
【００２０】
請求項３に係る発明によれば、前記、請求項１記載の間隙を有する板壁躯体と請求項2記載の間隙を有する床盤躯体を組み合わせて成る箱型構築物、該箱型構築物が構築できることで、多種多様な箱型構築物が多能工でも迅速且つ安価に構築できる大きな効果が得られる。
【００２１】
請求項4に係る発明によれば、前記、請求項１記載の間隙を有する板壁躯体と請求項2記載の間隙を有する床盤躯体を組み合わせて成る請求項3記載の箱型構築物、該箱型構築物の躯体内に、コンクリートを注入して成るコンクリート箱型構築物、該コンクリート箱型構築物が構築できることで、多発する多種多様な災害に耐える防災住宅や避難シェルター等の防災構築物が仮設材を使用することなく、多能工でも迅速且つ安価に構築できる大きな効果が得られる。
【００２２】
請求項5に係る発明によれば、前記、請求項１記載の間隙を有する板壁躯体の躯体内に、コンクリートを注入して成るコンクリート板塀、該コンクリート板塀が構築できることで、
災害に強い多種多様なコンクリート板塀やコンクリート構築物が多能工でも迅速且つ正確に構築できる大きな効果が得られる。
【発明を実施するための最良の形態】
【００２３】
以下に、本発明の実施形態は添付図面を参照しつつ詳細に説明する。
【００２４】
図１は、本発明に係るコンクリート箱型構築物の矩計断面図。図２は、多層階のコンクリート箱型構築物の断面図。図３は、布基礎のコンクリート箱型構築物の矩計断面図。図4は、間隙を有する板塀の断面図。図5は、コンクリート板塀の断面図。図6は、複数のダボ穴を設けた間柱状の壁板材。図7は、複数のダボ穴を設けた間柱状の床板材。図8は、複数のダボ穴を設けた間柱状の接続床板材。図9は、両側面にダボ木を設けた板セパの斜視図。図10は、両側面にダボ木を設けた短冊状の板セパの斜視図。図11は、壁を構成する成型部材。図12は、床を構成する成型部材。図13は、壁を構成する成型部材の拡大断面図。図14は、床を構成する成型部材の拡大断面図。図15は、図1,2のA部の拡大図。図16は、図1のB部の拡大図。図17は、図2のC部の拡大図。図18は、図3のD部の拡大図。図19は、コンクリート床盤の拡大図。図20は、図4のE部の拡大図。図21は、図5のF部の拡大図である。
【００２５】
本発明の実施形態を図面で説明すれば、図１は、基礎型枠24の上に、板壁を構成する成型部材10をダボ木5を介して重ね置きして、複数の接続ビス9で連結固定して成る間隙を有する板壁躯体15を構築して、該間隙を有する板壁躯体15の上に、床盤を構成する成型部材11と床盤を構成する床盤接続板12を連結固定して成る、間隙を有する床盤躯体17を組み合わせた箱型構築物19の躯体内に、コンクリート23を注入したコンクリート箱型構築物20を示した矩計断面図である。
【００２６】
図２は、コンクリート基礎床盤22の上に、板壁を構成する成型部材10をダボ木5を介して重ね置きして、複数の接続ビス9で連結固定して成る間隙を有する板壁躯体15を構築して、該間隙を有する板壁躯体15の上に、床盤を構成する成型部材11と床盤を構成する床盤接続板12を連結固定して成る、間隙を有する床盤躯体17を組み合わせた箱型構築物19を複層階構築して、該複層階の箱型構築物19躯体内に、コンクリート23を注入した多層階のコンクリート箱型構築物21を示した矩計断面図である。
【００２７】
図３は、布基礎状の基礎型枠24の上に、板壁を構成する成型部材10をダボ木5を介して重ね置きして、複数の接続ビス9で連結固定して成る間隙を有する板壁躯体15を構築して、該間隙を有する板壁躯体15の上に、床盤を構成する成型部材11と床盤を構成する床盤接続板12を連結固定して成る、間隙を有する床盤躯体17を組み合わせた箱型構築物19の躯体内に、コンクリート23を注入したコンクリート箱型構築物20を示した矩計断面図である。
【００２８】
図４は、基礎25の上に、板壁を構成する成型部材10をダボ木5を介して重ね置きして、複数の接続ビス9で連結固定して成る間隙を有する板壁躯体15の上に、笠木28を設けた間隙を有する板塀13の断面図である
【００２９】
図5は、基礎25の上に、板壁を構成する成型部材10をダボ木5を介して重ね置きして、複数の接続ビス9で連結固定して成る間隙を有する板壁躯体15の躯体内にコンクリート23を注入して笠木28を設けたコンクリート板塀14の断面図である
【００３０】
図6は、複数のダボ穴を設けた間柱状の壁板材である。
【００３１】
図7は、複数のダボ穴を設けた間柱状の床板材である。
【００３２】
図8は、複数のダボ穴を設けた間柱状の接続床板材である。
【００３３】
図9は、両側面にダボ木を設けた板セパの斜視図である。
【００３４】
図10は、両側面にダボ木を設けた短冊状の板セパの斜視図である。
【００３５】
図11は、板壁を構成する成型部材10の姿図である。
【００３６】
図12は、床盤を構成する成型部材11の姿図である。
【００３７】
図13は、板壁を構成する成型部材10の拡大断面図である。
【００３８】
図14は、床盤を構成する成型部材11の拡大断面図である。
【００３９】
図15は、図1,2のA部のコンクリート板壁躯体16の拡大図である。
【００４０】
図16は、図1のB部の拡大図である。
【００４１】
図17は、図2のC部の拡大図である。
【００４２】
図18は、図3のD部の拡大図である。
【００４３】
図19は、コンクリート床盤躯体18の拡大図である。
【００４４】
図20は、図4のE部の拡大図である。
【００４５】
図21は、図5のF部の拡大図である。
【００４６】
以上、図面について説明したが、本発明は、従来のように高度な技能を必要とすることなく多能工でも迅速且つ安全で容易に、多種多様な自然災害に耐えるコンクリート住宅等の防災構築物やコンクリート板塀等の防災構築物を、多能工でも容易に且つ安価に構築できることを目的としたものである。
【００４７】
さらに、本発明で使用する間柱状の各板材や各セパ材は間伐材が使用できることから、疲弊する山村林業の活性化に貢献ができる。
【実施例１】
【００４８】
図１を参照に、図16に示した、均しコンクリート26上に基礎型枠24を型枠組して、該基礎型枠24に複数のダボ穴1を設けた30ｍｍ×120ｍｍ×1,500ｍｍの２枚の間柱状の壁板材2を並置して、間柱状の壁板材2の板巾面に設けたダボ穴1へ、両側面にダボ木5を設けた複数の板セパ6の接続面に接着剤8を塗布して、挿入圧着して成る板壁を構成する成型部材10、該板壁を構成する成型部材10の板厚面に設けたダボ穴1にダボ木5を介して重ね置きして、複数の接続ビス9で連結固定して成る間隙を有する板壁躯体15を構築する、該間隙を有する板壁躯体15の上に、複数のダボ穴1を設けた30ｍｍ×120ｍｍ×スラブ幅の２枚の間柱状の床板材3を並置して、間柱状の床板材3の板巾面に設けたダボ穴1へ、両側面にダボ木5を設けた複数の板セパ6と短冊状の板セパ7の接続面に接着剤8を塗布して、挿入圧着して成る床盤を構成する成型部材11、該床盤を構成する成型部材11と板厚面に複数のダボ穴1を設けた30ｍｍ×120ｍｍ×スラブ幅の床盤を構成する床盤接続板12を、ダボ木5を介して連結固定して成る間隙を有する床盤躯体17を組み合わせて成る箱型構築物19、該箱型構築物19の躯体内に、コンクリート23を連続注入して成る図1に示したコンクリート箱型構築物20、該コンクリート箱型構築物20内にコンクリート23を連続注入することによって、津波や浸水災害に耐える防災避難シェルター等の防災構築物が安価且つ容易に造れる。
【実施例２】
【００４９】
図2を参照に、均しコンクリート26上に構築した、コンクリート基礎床盤22の上に、複数のダボ穴1を設けた30ｍｍ×120ｍｍ×1,500ｍｍの２枚の間柱状の壁板材2を並置して、間柱状の壁板材2の板巾面に設けたダボ穴1へ、両側面にダボ木5を設けた複数の板セパ6の接続面に接着剤8を塗布して、挿入圧着して成る板壁を構成する成型部材10、該板壁を構成する成型部材10の板厚面に設けたダボ穴1にダボ木5を介して重ね置きして、複数の接続ビス9で連結固定して成る間隙を有する板壁躯体15を構築する、該間隙を有する板壁躯体15の上に、複数のダボ穴1を設けた30ｍｍ×120ｍｍ×スラブ幅の２枚の間柱状の床板材3を並置して、間柱状の床板材3の板巾面に設けたダボ穴1へ、両側面にダボ木5を設けた複数の板セパ6と短冊状の板セパ7の接続面に接着剤8を塗布して、挿入圧着して成る床盤を構成する成型部材11、該床盤を構成する成型部材11と板厚面に複数のダボ穴1を設けた30ｍｍ×120ｍｍ×スラブ幅の床盤を構成する床盤接続板12を、ダボ木5を介して連結固定して成る間隙を有する床盤躯体17を組み合わせて成る箱型構築物19を複層に構築して、図1に示した複層階の間隙を有した多層階の箱型構築物19をなし、図1に示した多層階の箱型構築物19の躯体内に、コンクリート23を連続注入して成る多層階のコンクリート箱型構築物21、該多層階のコンクリート箱型構築物21内にコンクリート23を連続注入することによって、多発する多種多様な自然災害に耐える多層階の防災住宅や防災構築物が安価且つ容易に造れる。
【実施例３】
【００５０】
図3を参照に、図18に示した、均しコンクリート26上に基礎型枠24を型枠組して、該基礎型枠24に複数のダボ穴1を設けた30ｍｍ×120ｍｍ×1,500ｍｍの２枚の間柱状の壁板材2を並置して、間柱状の壁板材2の板巾面に設けたダボ穴1へ、両側面にダボ木5を設けた複数の板セパ6の接続面に接着剤8を塗布して、挿入圧着して成る板壁を構成する成型部材10、該板壁を構成する成型部材10の板厚面に設けたダボ穴1にダボ木5を介して重ね置きして、複数の接続ビス9で連結固定して成る間隙を有する板壁躯体15を構築する、該間隙を有する板壁躯体15の上に、複数のダボ穴1を設けた30ｍｍ×120ｍｍ×スラブ幅の２枚の間柱状の床板材3を並置して、間柱状の床板材3の板巾面に設けたダボ穴1へ、両側面にダボ木5を設けた複数の板セパ6と短冊状の板セパ7の接続面に接着剤8を塗布して、挿入圧着して成る床盤を構成する成型部材11、該床盤を構成する成型部材11と板厚面に複数のダボ穴1を設けた30ｍｍ×120ｍｍ×スラブ幅の床盤を構成する床盤接続板12を、ダボ木5を介して連結固定して成る間隙を有する床盤躯体17を組み合わせて成る箱型構築物19、該箱型構築物19の躯体内に、コンクリート23を注入して成るコンクリート箱型構築物20、該コンクリート箱型構築物20内にコンクリート23を注入することによって、多発する多種多様な自然災害に耐える耐火防災構築物が安価且つ容易に造れる。
【実施例４】
【００５１】
図4を参照に、基礎25の上に、複数のダボ穴1を設けた30ｍｍ×120ｍｍ×1,500ｍｍの２枚の間柱状の壁板材2を並置して、間柱状の壁板材2の板巾面に設けたダボ穴1へ、両側面にダボ木5を設けた複数の板セパ6の接続面に接着剤8を塗布して、挿入圧着して成る板壁を構成する成型部材10、該板壁を構成する成型部材10の板厚面に設けたダボ穴1にダボ木5を介して重ね置きして、複数の接続ビス9で連結固定して成る、図20に示した間隙を有する板壁躯体15、該間隙を有する板壁躯体15の上に、笠木28を設けることで地震災害に強く自然環境に優しい、間隙を有する板塀13が安価且つ容易に造れる。
【実施例５】
【００５２】
図5を参照に、基礎25の上に、複数のダボ穴1を設けた30ｍｍ×120ｍｍ×1,500ｍｍの２枚の間柱状の壁板材2を並置して、間柱状の壁板材2の板巾面に設けたダボ穴1へ、両側面にダボ木5を設けた複数の板セパ6の接続面に接着剤8を塗布して、挿入圧着して成る板壁を構成する成型部材10、該板壁を構成する成型部材10の板厚面に設けたダボ穴1にダボ木5を介して重ね置きして、複数の接続ビス9で連結固定して成る、間隙を有する板壁躯体15、該間隙を有する板壁躯体15内にコンクリート23を注入して笠木28を設けることによって、図21に示した多発する多種多様な自然災害に耐えるコンクリート板塀14が安価且つ容易に造れる。
【００５３】
なお、この発明において、実施例や図面に示した寸法や各部材は、一例を示したものであり、同様の機能を果たす公知の他の寸法部材に置き換えることは可能である。例えばそれぞれの板セパの寸法や形状は強度によって自由に設定できる。また、間柱状の各板材の厚さや形状や大きさも自由に設定ができる。さらに、木材に代わる材料など強度が得られるものであれば発明を支障なく実施することができる。
【産業上の利用可能性】
【００５４】
現在、高層ビルを木造で造る時代が到来するなかで、国産木材が大量に消費ができるＣＬＴを推進する国家プロジェクトが始動しているが、ＣＬＴを消費する市場や環境を整えるには長い年月が必要である。さらに、伐採適齢期を迎えている戦後に植栽された杉や檜の植樹林は、外国産木材によって間伐放棄・森林放棄されて、国産木材の価値は下がり利用されていないのが現状である。しかしながら、国土の63％を占めている森林の木材は植栽と植樹を繰り返すことで、尽きることのない我が国の大切な資源であり、国産木材を消費拡大することは行政の重要課題であるとともに、地方創成の要であることは周知の通りである。他方、災害が多発する我が国には、災害に強い街づくりに必要な防災住宅や防災構築物が、低価格で買える市場や防災環境を整えることが急務である。本発明の木の板で木の板セパを挟み圧着して成る成型部材は、国産木材を主体にしたもので、国産木材の消費拡大や地球温暖化防止に貢献ができる。さらに、本発明の木材とコンクリートをハイブリッドさせることで、地震・津浪・火災・水害・台風等々の自然災害に耐える防災住宅や防災構築物が安価且つ容易に造れることから、国産木材の消費拡大や自然災害の防災に大きく貢献できる。
【図面の簡単な説明】
【００５５】
【図１】本発明に係るコンクリート箱型構築物の矩計断面図。
【図２】多層階のコンクリート箱型構築物の断面図。
【図３】布基礎のコンクリート箱型構築物の矩計断面図。
【図４】間隙を有する板塀の断面図。
【図５】コンクリート板塀の断面図。
【図６】複数のダボ穴を設けた間柱状の壁板材。
【図７】複数のダボ穴を設けた間柱状の床板材。
【図８】複数のダボ穴を設けた間柱状の接続床板材。
【図９】両側面にダボ木を設けた板セパの斜視図。
【図１０】両側面にダボ木を設けた短冊状の板セパの斜視図。
【図１１】壁を構成する成型部材の側面図。
【図１２】床を構成する成型部材の側面図。
【図１３】壁を構成する成型部材の拡大断面図。
【図１４】床を構成する成型部材の拡大断面図。
【図１５】図1,2のA部の拡大図。
【図１６】図1のB部の拡大図。
【図１７】図2のC部の拡大図。
【図１８】図3のD部の拡大図。
【図１９】コンクリート床盤の拡大図。
【図２０】図4のE部の拡大図。
【図２１】図5のF部の拡大図。
【符号の説明】
【００５６】
・  ダボ穴
・  間柱状の壁板材
・  間柱状の床板材
・  間柱状の接続床板材
・  ダボ木
・  板セパ
・  短冊状の板セパ
・  接着剤
・  接続ビス
・  板壁を構成する成型部材
・  床盤を構成する成型部材
・  床盤を構成する床盤接続板
・  間隙を有する板塀
・  コンクリート板塀
・  間隙を有する板壁躯体
・  コンクリート板壁躯体
・  間隙を有する床盤躯体
・  コンクリート床盤躯体
・  箱型構築物
・  コンクリート箱型構築物
・  多層階のコンクリート箱型構築物
・  コンクリート基礎床盤
・  コンクリート
・  基礎型枠
・  基礎
・  均しコンクリート
・  床組
・  笠木
【図１】
2020026659.tif 000003
【図２】
2020026659.tif 000004
【図３】
2020026659.tif 000005
【図４】
2020026659.tif 000006
【図５】
2020026659.tif 000007
【図６】
2020026659.tif 000008
【図７】
2020026659.tif 000009
【図８】
2020026659.tif 000010
【図９】
2020026659.tif 000011
【図１０】
2020026659.tif 000012
【図１１】
2020026659.tif 000013
【図１２】
2020026659.tif 000014
【図１３】
2020026659.tif 000015
【図１４】
2020026659.tif 000016
【図１５】
2020026659.tif 000017
【図１６】
2020026659.tif 000018
【図１７】
2020026659.tif 000019
【図１８】
2020026659.tif 000020
【図１９】
2020026659.tif 000021
【図２０】
2020026659.tif 000022
【図２１】
2020026659.tif 000023